(57)【要約】【課題】複数の固定無線アクセス手段間を、地上波放送信号、ＢＳ放送信号、ＣＳ放送信号の各信号の他、無線アクセス信号も同一のケーブルで伝送可能な固定無線アクセスシステムを提供する。【解決手段】ＦＷＡアンテナ３、室外機（ＯＤＵ）１、およびこの室外機１と１本のケーブル２１を介して接続された室内機（ＩＤＵ）２を主に備える。室外機１には、ＦＷＡアンテナ３の他、ＢＳコンバータ４ｂ、ＣＳコンバータ５ｂおよびＶＨＦ／ＵＨＦブースタ７が接続される。ＦＷＡアンテナ３からのＦＷＡ中間周波数信号をＶＨＦ、ＵＨＦ、ＢＳ、ＣＳの各中間周波数信号と干渉しない領域に設定し、これらの信号を重畳することで、ＯＤＵ１およびＩＤＵ２間を１本のケーブル２１で共用する。ＩＤＵ２から供給されるＦＷＡ用電源電圧を基に、ＯＤＵ１はＶＨＦ／ＵＨＦブースタ７、ＢＳコンバータ４ｂおよびＣＳコンバータ５ｂ用の各電源電圧を生成し、これらに給電する。【選択図】    図１
2004320221.tif 000002
【特許請求の範囲】
【請求項１】
無線アクセス信号を送受信する無線アクセス用アンテナと、
地上波放送用ブースタ、ＢＳ放送用コンバータおよびＣＳ放送用コンバータの少なくともいずれかを接続可能であって、前記無線アクセス用アンテナで送受信される無線アクセス信号を周波数変換する第１周波数変換手段と、前記地上波放送用ブースタから出力された地上波放送信号、前記ＢＳ放送用コンバータから出力されたＢＳ放送信号または前記ＣＳ放送用コンバータから出力されたＣＳ放送信号に前記第１周波数変換手段で周波数変換された無線アクセス信号を重畳して合成する合成手段と、を有する第１固定無線アクセス手段と、
前記第１固定無線アクセス手段から送出された信号から前記地上波放送信号、前記ＢＳ放送信号または前記ＣＳ放送信号に重畳された無線アクセス信号を分配する分配手段と、前記分配手段によって分配された無線アクセス信号を周波数変換する第２周波数変換手段と、前記第１固定無線アクセス手段に送出する信号に所定の電源を重畳する電源重畳手段と、を有する第２固定無線アクセス手段と、を備え、
前記第１固定無線アクセス手段と前記第２固定無線アクセス手段との間で、同一のケーブルを介して、前記合成手段によって合成された信号および前記電源重畳手段によって前記所定の電源が重畳された信号を伝送する固定無線アクセスシステム。
【請求項２】
請求項１記載の固定無線アクセスシステムであって、
前記第１固定無線アクセス手段は、
前記第２固定無線アクセス手段から伝送された重畳信号に従って、前記ＢＳ放送用コンバータの電源電圧および前記ＣＳ放送用コンバータの電源電圧の少なくとも一方を生成する電源電圧生成手段を有する固定無線アクセスシステム。
【請求項３】
請求項２記載の固定無線アクセスシステムであって、
前記第２固定無線アクセス手段は、当該第２固定無線アクセス手段に接続されたＣＳ放送用デコーダからの偏波識別信号を検出する検出手段を有し、前記電源重畳手段は前記検出手段によって検出された偏波識別信号を周波数変換した信号に前記所定の電源を重畳して、前記第１固定無線アクセス手段に送出し、
前記第１固定無線アクセス手段が有する電源電圧生成手段は、前記第２固定無線アクセス手段から送出された信号を周波数変換して得られた前記偏波識別信号に基づいて、前記ＣＳ放送用コンバータの電源電圧を生成する固定無線アクセスシステム。
【請求項４】
地上波放送用ブースタ、ＢＳ放送用コンバータおよびＣＳ放送用コンバータの少なくともいずれか１つを接続可能な固定無線アクセス装置であって、
無線アクセス信号を送受信する無線アクセス用アンテナで送受信される無線アクセス信号を周波数変換する第１周波数変換手段と、
前記地上波放送用ブースタから出力された地上波放送信号、前記ＢＳ放送用コンバータから出力されたＢＳ放送信号または前記ＣＳ放送用コンバータから出力されたＣＳ放送信号に前記第１周波数変換手段で周波数変換された無線アクセス信号を重畳して合成する合成手段と、
を備える固定無線アクセス装置。
【請求項５】
地上波放送信号、ＢＳ放送信号またはＣＳ放送信号に無線アクセス信号が重畳された信号から無線アクセス信号を分配する分配手段と、
前記分配手段によって分配された無線アクセス信号を周波数変換する第２周波数変換手段と、
外部に送出する信号に所定の電源を重畳する電源重畳手段と、
を備える固定無線アクセス装置。
【請求項６】
無線アクセス信号を送受信する無線アクセス用アンテナと、
前記無線アクセス用アンテナで送受信される無線アクセス信号を周波数変換する第１周波数変換手段と、
前記第１周波数変換手段、並びに、地上波放送用ブースタ、ＢＳ放送用コンバータおよびＣＳ放送用コンバータの少なくともいずれかを接続可能であり、前記地上波放送用ブースタから出力された地上波放送信号、前記ＢＳ放送用コンバータから出力されたＢＳ放送信号または前記ＣＳ放送用コンバータから出力されたＣＳ放送信号に前記第１周波数変換手段で周波数変換された無線アクセス信号を重畳して出力する第１結合器と、
前記第１結合器から送出された信号から前記地上波放送信号、前記ＢＳ放送信号または前記ＣＳ放送信号に重畳された無線アクセス信号を分配する分配手段と、前記第１結合器に送出する信号に所定の電源を重畳する電源重畳手段と、を有する第２結合器と、
前記第２結合器が有する前記分配手段によって分配された無線アクセス信号を周波数変換する第２周波数変換手段と、を備え、
前記第１結合器と前記第２結合器との間で、同一のケーブルを介して、前記第１結合器によって重畳された信号および前記第２結合器が有する前記電源重畳手段によって前記所定の電源が重畳された信号を伝送する固定無線アクセスシステム。
【発明の詳細な説明】
【０００１】
【発明の属する技術分野】
本発明は、複数の固定無線アクセス手段間を、地上波放送信号、ＢＳ放送信号、ＣＳ放送信号の各信号の他、無線アクセス信号も同一のケーブルで伝送する固定無線アクセスシステムおよび固定無線アクセス装置に関する。
【０００２】
【従来の技術】
従来、地上波放送（ＶＨＦ，ＵＨＦ）や衛星放送（ＢＳ，ＣＳ）の信号を１本のケーブルを介して受信可能なＳＭＡＴＶ（Ｓａｔｅｌｌｉｔｅ  Ｍａｓｔｅｒ  Ａｎｔｅｎｎａ  ＴｅｌｅＶｉｓｉｏｎ）システムが知られている（例えば、特許文献１参照）。このＳＭＡＴＶシステムでは、ＶＨＦ、ＵＨＦ、ＢＳ、ＣＳの各信号が１本のケーブルを介して伝送されるため、室内機（ＩＤＵ：Ｉｎ  Ｄｏｏｒ  Ｕｎｉｔ）から室外機（ＯＤＵ：Ｏｕｔ  Ｄｏｏｒ
Ｕｎｉｔ）への電源供給はＢＳ、ＣＳに対してのみ考慮すれば良い。
【０００３】
これは、ＶＨＦ、ＵＨＦの場合、電源電圧が重畳されず、ＲＦ信号だけが伝送される一方で、ＢＳの場合は＋１５Ｖの電源電圧が必要とされ、ＣＳの場合は＋１１Ｖまたは＋１５Ｖの電源電圧が必要とされるためである。また、ＶＨＦ、ＵＨＦの受信用にブースタが接続されている場合でも、その電源電圧は＋１５Ｖだけを必要とするので、ケーブルをそのまま接続することが可能である。
【０００４】
また、従来、複数チャンネルを利用可能な通信衛星（ＣＳ）からの信号を受信する通信衛星信号受信システムも知られている（例えば、特許文献２参照）。
【０００５】
【特許文献１】
特許第２５０６４６６号公報
【特許文献２】
特開平２−１４００２２号公報
【０００６】
【発明が解決しようとする課題】
しかし、上記従来例では、固定無線アクセス（ＦＷＡ：Ｆｉｘｅｄ  Ｗｉｒｅｌｅｓｓ  Ａｃｃｅｓｓ）装置を新たに設置する場合、当該ＦＷＡ装置で用いられる室外機（ＯＤＵ）および室内機（ＩＤＵ）間を接続する１本のケーブルにＶＨＦ、ＵＨＦ、ＢＳ、ＣＳの各信号を伝送することは検討されておらず、また、１本のケーブルを共用する場合には以下の事情があった。すなわち、ＦＷＡ装置で使用する室外機の電源電圧は−４８Ｖであって、ＢＳ、ＣＳの室外機で使用する電源電圧（＋１５Ｖ、＋１１Ｖ）とは大きく異なる。また、その消費電流もＢＳ、ＣＳに比べて非常に多い。このため、ＢＳ、ＣＳ用に外部電源を設ける必要があった。また、ＣＳの場合は、偏波識別のため、偏波面に応じて異なる電源電圧を供給する必要があった。
【０００７】
本発明は、上記従来の事情に鑑みてなされたものであって、複数の固定無線アクセス手段間を、地上波放送信号、ＢＳ放送信号、ＣＳ放送信号の各信号の他、無線アクセス信号も同一のケーブルで伝送可能な固定無線アクセスシステムおよび固定無線アクセス装置を提供することを目的としている。
【０００８】
【課題を解決するための手段】
本発明の固定無線アクセスシステムは、無線アクセス信号を送受信する無線アクセス用アンテナと、地上波放送用ブースタ、ＢＳ放送用コンバータおよびＣＳ放送用コンバータの少なくともいずれかを接続可能であって、前記無線アクセス用アンテナで送受信される無線アクセス信号を周波数変換する第１周波数変換手段と、前記地上波放送用ブースタから出力された地上波放送信号、前記ＢＳ放送用コンバータから出力されたＢＳ放送信号または前記ＣＳ放送用コンバータから出力されたＣＳ放送信号に前記第１周波数変換手段で周波数変換された無線アクセス信号を重畳して合成する合成手段と、を有する第１固定無線アクセス手段と、前記第１固定無線アクセス手段から送出された信号から前記地上波放送信号、前記ＢＳ放送信号または前記ＣＳ放送信号に重畳された無線アクセス信号を分配する分配手段と、前記分配手段によって分配された無線アクセス信号を周波数変換する第２周波数変換手段と、前記第１固定無線アクセス手段に送出する信号に所定の電源を重畳する電源重畳手段と、を有する第２固定無線アクセス手段と、を備え、前記第１固定無線アクセス手段と前記第２固定無線アクセス手段との間で、同一のケーブルを介して、前記合成手段によって合成された信号および前記電源重畳手段によって前記所定の電源が重畳された信号を伝送する。
【０００９】
したがって、第１固定無線アクセス手段および第２固定無線アクセス手段間を、地上波放送信号、ＢＳ放送信号、ＣＳ放送信号の各信号の他、無線アクセス信号も同一のケーブルで伝送することができる。この結果、第１固定無線アクセス手段および第１固定無線アクセス手段を設置する際に、ケーブルを新設することなくシステムを構築することができる。
【００１０】
また、本発明の固定無線アクセスシステムは、前記第１固定無線アクセス手段は、前記第２固定無線アクセス手段から伝送された重畳信号に従って、前記ＢＳ放送用コンバータの電源電圧および前記ＣＳ放送用コンバータの電源電圧の少なくとも一方を生成する電源電圧生成回路を有する。このため、ＢＳ放送用コンバータ、ＣＳ放送用コンバータのための外部電源が不要となるため、設置時間を短縮でき、設置費用も抑えることができる。
【００１１】
また、本発明の固定無線アクセスシステムは、前記第２固定無線アクセス手段は、当該第２固定無線アクセス手段に接続されたＣＳ放送用デコーダからの偏波識別信号を検出する検出手段を有し、前記電源重畳手段は前記検出手段によって検出された偏波識別信号を周波数変換した信号に前記所定の電源を重畳して、前記第１固定無線アクセス手段に送出し、前記第１固定無線アクセス手段が有する電源電圧生成回路は、前記第２固定無線アクセス手段から送出された信号を周波数変換して得られた前記偏波識別信号に基づいて、前記ＣＳ放送用コンバータの電源電圧を生成する。このため、複数の異なる偏波面を利用し、偏波面に応じて異なる電源電圧を供給する必要のあるＣＳ放送用コンバータを備えていても、新たな外部電源を設けることなく対応することができる。
【００１２】
また、本発明の固定無線アクセス装置は、地上波放送用ブースタ、ＢＳ放送用コンバータおよびＣＳ放送用コンバータの少なくともいずれか１つを接続可能な固定無線アクセス装置であって、無線アクセス信号を送受信する無線アクセス用アンテナで送受信される無線アクセス信号を周波数変換する第１周波数変換手段と、前記地上波放送用ブースタから出力された地上波放送信号、前記ＢＳ放送用コンバータから出力されたＢＳ放送信号または前記ＣＳ放送用コンバータから出力されたＣＳ放送信号に前記第１周波数変換手段で周波数変換された無線アクセス信号を重畳して合成する合成手段と、を備える。
【００１３】
また、本発明の固定無線アクセス装置は、地上波放送信号、ＢＳ放送信号またはＣＳ放送信号に無線アクセス信号が重畳された信号から無線アクセス信号を分配する分配手段と、前記分配手段によって分配された無線アクセス信号を周波数変換する第２周波数変換手段と、外部に送出する信号に所定の電源を重畳する電源重畳手段と、を備える。
【００１４】
また、本発明の固定無線アクセスシステムは、無線アクセス信号を送受信する無線アクセス用アンテナと、前記無線アクセス用アンテナで送受信される無線アクセス信号を周波数変換する第１周波数変換手段と、前記第１周波数変換手段、並びに、地上波放送用ブースタ、ＢＳ放送用コンバータおよびＣＳ放送用コンバータの少なくともいずれかを接続可能であり、前記地上波放送用ブースタから出力された地上波放送信号、前記ＢＳ放送用コンバータから出力されたＢＳ放送信号または前記ＣＳ放送用コンバータから出力されたＣＳ放送信号に前記第１周波数変換手段で周波数変換された無線アクセス信号を重畳して出力する第１結合器と、前記第１結合器から送出された信号から前記地上波放送信号、前記ＢＳ放送信号または前記ＣＳ放送信号に重畳された無線アクセス信号を分配する分配手段と、前記第１結合器に送出する信号に所定の電源を重畳する電源重畳手段と、を有する第２結合器と、前記第２結合器が有する前記分配手段によって分配された無線アクセス信号を周波数変換する第２周波数変換手段と、を備え、前記第１結合器と前記第２結合器との間で、同一のケーブルを介して、前記第１結合器によって重畳された信号および前記第２結合器が有する前記電源重畳手段によって前記所定の電源が重畳された信号を伝送する。
【００１５】
したがって、第１周波数変換手段および第２周波数変換手段が既に導入されている場合、第１結合器および第２結合器を設けることで、第１結合器および第２結合器の間を、地上波放送信号、ＢＳ放送信号、ＣＳ放送信号の各信号の他、無線アクセス信号も同一のケーブルで伝送することができる。
【００１６】
【発明の実施の形態】
（第１の実施形態）
図１は、本発明の第１の実施形態を説明するための固定無線アクセスシステムの概略構成を示す図である。同図に示すように、本実施形態の固定無線アクセス（ＦＷＡ：Ｆｉｘｅｄ  Ｗｉｒｅｌｅｓｓ  Ａｃｃｅｓｓ）システムは、主に、特許請求の範囲の無線アクセス用アンテナに該当するＦＷＡアンテナ３と、第１固定無線アクセス手段に該当する室外機（ＯＤＵ：Ｏｕｔ  Ｄｏｏｒ  Ｕｎｉｔ）１と、ケーブル２１と、第２固定無線アクセス手段に該当する室内機（ＩＤＵ：Ｉｎ  Ｄｏｏｒ  Ｕｎｉｔ）２とを備え、この他、ＢＳアンテナ４ａおよびＢＳ放送用コンバータに該当するＢＳコンバータ４ｂと、ＣＳ放送用コンバータに該当するＣＳアンテナ５ａおよびＣＳコンバータ５ｂと、ＶＨＦ／ＵＨＦアンテナ６および地上波放送用ブースタに該当するＶＨＦ／ＵＨＦブースタ７と、ＢＳデコーダ８と、ＣＳ放送用デコーダに該当するＣＳデコーダ９と、テレビ（ＴＶ）１０と、パソコン１１とが設けられている。
【００１７】
室外機１には、ＦＷＡアンテナ３の他、ＢＳコンバータ４ｂ、ＣＳコンバータ５ｂおよびＶＨＦ／ＵＨＦブースタ７が接続され、ケーブル２１を介して室内機２に接続されている。なお、ＢＳコンバータ４ｂにはＢＳアンテナ４ａが接続され、ＣＳコンバータ５ｂにはＣＳアンテナ５ａが接続され、ＶＨＦ／ＵＨＦブースタ７にはＶＨＦ／ＵＨＦアンテナ６が接続されている。一方、室内機２には、ＢＳデコーダ８、ＣＳデコーダ９およびパソコン１１が接続され、ＴＶ１０もＶＨＦ／ＵＨＦケーブル１０ａによって接続されている。なお、ＴＶ１０にはＢＳデコーダ８およびＣＳデコーダ９が接続されている。
【００１８】
以下、本実施形態の固定無線アクセスシステムが備える各構成要素の内、主に、室外機（ＯＤＵ）１および室内機（ＩＤＵ）２について説明する。
【００１９】
まず、室外機１について、図２および図３を参照して説明する。図２は、図１に示した固定無線アクセスシステムが備える室外機の内部構成に信号系統を重ねて示した図である。また、図３は、図１に示した固定無線アクセスシステムが備える室外機の内部構成に電源系統を重ねて示した図である。図２および図３に示すように、室外機１は、ＦＷＡアンテナ端子１１２と、ＢＳ／ＵＨＦ／ＶＨＦ入力端子１１３と、ＣＳ入力端子１１４と、ＯＤＵ入出力端子１１１と、特許請求の範囲の第１周波数変換手段に該当するＦＷＡＯＤＵ回路１１８と、電源重畳回路１１９，１２０と、合成手段に該当する合成分配回路１１５と、制御回路１１６と、電源電圧生成手段に該当する電源変換回路１１７とを有する。
【００２０】
ＦＷＡアンテナ端子１１２には、ＦＷＡアンテナ３で受信された無線アクセス信号（以下「受信ＦＷＡ信号」という。）が入力される。また、ＦＷＡＯＤＵ回路１１８でＦＷＡＩＦ信号が所定の周波数に変換された送信ＦＷＡ信号をＦＷＡアンテナ３に出力する。また、ＢＳ／ＵＨＦ／ＶＨＦ入力端子１１３には、ＢＳアンテナ４ａで受信されＢＳコンバータ４ｂでコンバートされた信号、および、ＶＨＦ／ＵＨＦアンテナ６で受信されＶＨＦ／ＵＨＦブースタ７で周波数変換された信号が入力される。以下の説明では、これら２つの信号をまとめて「ＢＳ／ＵＨＦ／ＶＨＦ信号」という。また、ＣＳ入力端子１１４には、ＣＳアンテナ５ａで受信されＣＳコンバータ５ｂでコンバートされた信号が入力される。以下の説明では、当該信号を「ＣＳ信号」という。
【００２１】
ＦＷＡＯＤＵ回路１１８は、ＦＷＡアンテナ端子１１２から入力された受信ＦＷＡ信号を所定の周波数に変換して出力したり、後述する室内機（ＩＤＵ）２から送信されたＦＷＡＩＦ信号を所定の周波数に変換してＦＷＡアンテナ端子１１２へ出力するものである。ＦＷＡＯＤＵ部１１８から出力されたＦＷＡＩＦ信号は合成分配回路１１５に入力される。なお、上記ＦＷＡＩＦ信号とは、ＦＷＡＯＤＵ回路１１８とＦＷＡＩＤＵ回路１２５の間で伝送される信号のことである。また、ＦＷＡＯＤＵ部１１８は、合成分配回路１１５から送出されたＦＷＡＩＦ信号を所定の周波数に変換した無線アクセス信号をＦＷＡアンテナ端子１１２から出力する。
【００２２】
また、電源重畳回路１１９は、電源変換回路１１７から得られた電源電圧（＋１５Ｖ）をＢＳ信号に重畳して、ＢＳ／ＵＨＦ／ＶＨＦ入力端子１１３に出力するものである。また、電源重畳回路１２０は、電源変換回路１１７から得られた電源電圧（＋１５Ｖまたは＋１１Ｖ）を重畳してＣＳ入力端子１１４に出力するものである。
【００２３】
また、合成分配回路１１５は、ＦＷＡＯＤＵ回路１１８から出力されたＦＷＡＩＦ信号、ＢＳ／ＵＨＦ／ＶＨＦ入力端子１１３に入力され電源重畳回路１１９を介して得られたＢＳ／ＵＨＦ／ＶＨＦ信号、およびＣＳ入力端子１１４から入力され電源重畳回路１２０を介して得られたＣＳ信号の各信号を合成するものである。合成分配回路１１５で合成された信号はＯＤＵ入出力端子１１１から出力され、ケーブル２１を介して室内機２に送出される。なお、合成分配回路１１５は、室内機２から送出されケーブル２１およびＯＤＵ入出力端子１１１を介して入力された信号から後述するＦＷＡ制御信号を分配し、制御回路１１６に出力する。
【００２４】
また、制御回路１１６は、合成分配回路１１５で分配されたＦＷＡ制御信号を検出すると、検出されたＦＷＡ制御信号が示す電源電圧を電源重畳回路１１９，１２０が重畳するよう、電源変換回路１１７に制御信号を送出するものである。また、電源変換回路１１７は、制御回路１１６からの制御信号に基づく各電源電圧を電源重畳回路１１９，１２０に出力するものである。なお、電源電圧重畳回路１１９，１２０における電源電圧の重畳により、制御回路１１６で検出されたＦＷＡ制御信号を変換して得られた偏波識別信号が垂直偏波を表す場合は＋１１Ｖの電源電圧がＣＳコンバータ５ｂに給電され、水平偏波を表す場合は＋１５Ｖの電源電圧がＣＳコンバータ５ｂに給電される。
【００２５】
次に、室内機２について、図４および図５を参照して説明する。図４は、図１に示した固定無線アクセスシステムが備える室内機の内部構成に信号系統を重ねて示した図である。また、図５は、図１に示した固定無線アクセスシステムが備える室内機の内部構成に電源系統を重ねて示した図である。図４および図５に示すように、室内機２は、ＦＷＡ入出力端子１２１と、ＢＳ／ＵＨＦ／ＶＨＦ出力端子１２２と、ＣＳ出力端子１２３と、ＩＤＵ入出力端子１２４と、特許請求の範囲の第２周波数変換手段に該当するＦＷＡＩＤＵ回路１２５と、電源検出回路１２６と、検出手段に該当する電源検出回路１３２と、分配手段に該当する合成分配回路１２７と、電源重畳手段に該当する電源重畳回路１２８と、制御回路１２９と、電源回路１３０とを有する。
【００２６】
室外機１から送出された信号は、ケーブル２１を介してＩＤＵ入出力端子１２４から入力され、電源重畳回路１２８を介して合成分配回路１２７に入力される。合成分配回路１２７は、当該入力信号をＦＷＡＩＦ信号、ＢＳ／ＵＨＦ／ＶＨＦ信号およびＣＳ信号に分配するものである。ＦＷＡＩＦ信号はＦＷＡＩＤＵ回路１２５に出力され、ＢＳ／ＵＨＦ／ＶＨＦ信号は電源検出回路１２６を介してＢＳ／ＵＨＦ／ＶＨＦ出力端子１２２から出力され、ＣＳ信号は電源検出回路１３０を介してＣＳ出力端子１２３から出力される。なお、ＢＳ／ＵＨＦ／ＶＨＦ出力端子１２２から出力されたＢＳ信号はＢＳデコーダ８に供給され、ＵＨＦ／ＶＨＦ信号はケーブル１０ａを介してＴＶ１０に供給される。また、ＣＳ出力端子１２３から出力されたＣＳ信号はＣＳデコーダ９に供給される。
【００２７】
ＦＷＡＩＤＵ回路１２５は、ＦＷＡＩＦ信号に対して周波数変換等を行うものであり、周波数変換等された信号はＦＷＡ入出力端子１２１から出力される。なお、ＦＷＡ入出力端子１２１から出力された信号はパソコン１１に送られる。また、ＦＷＡＩＤＵ回路１２５には、パソコン１１から出力されたＦＷＡ信号がＦＷＡ入出力端子１２１を介して入力される。ＦＷＡＩＤＵ回路１２５は、ＦＷＡ信号に対して周波数変換等を行って、ＦＷＡＩＦ信号を出力する。
【００２８】
また、電源検出回路１２６は、ＢＳでコーダ８からＢＳコンバータ４ｂに供給される電源電圧を検出するものであり、当該検出した電源電圧に関するＢＳ電源信号をは制御回路１２９に送られる。また、電源検出回路１３２は、ＣＳでコーダ９からＣＳコンバータ５ｂに供給される電源電圧として、ＣＳデコーダ９からの偏波識別信号を検出するものであり、検出した偏波識別信号は制御回路１２９に送られる。
【００２９】
また、制御回路１２９は、ＦＷＡＩＤＵ回路１２５に入力されたＦＷＡ信号と、電源検出回路１２６で検出された電源電圧に関する情報と、電源検出回路１３２で検出された偏波識別信号とを周波数変換して、電源重畳回路１２８にＦＷＡ制御信号を出力するものである。また、電源回路１３０は、例えば−４８Ｖの所定電圧の電源電圧を電源重畳回路１２８に供給するものである。また、電源重畳回路１２８は、電源回路１３０から供給された電源電圧を制御回路１２９から出力されたＦＷＡ制御信号に重畳するものである。電源重畳回路１２８で重畳することによって得られた信号はＩＤＵ入出力端子１２４から出力され、ケーブル２１を介して室外機１に送出される。
【００３０】
このような構成の固定無線アクセスシステムでは、パソコン１１からのＦＷＡ信号が室外機２、ケーブル２１および室内機１を介してＦＷＡアンテナ３から無線アクセス信号して送信されると、この無線アクセス信号に応答した受信ＦＷＡ信号がＦＷＡアンテナ３によって受信され、室外機１、ケーブル２１および室内機２を介してパソコン１１に入力される。
【００３１】
また、ＶＨＦ／ＵＨＦの地上波放送信号は、ＶＨＦ／ＵＨＦアンテナ６で受信され、ＶＨＦ／ＵＨＦブースタ７で周波数変換された後、室外機１、ケーブル２１および室内機２を介してＴＶ１０に入力される。また、ＢＳ信号は、ＢＳアンテナ４ａで受信され、ＢＳコンバータ４ｂでコンバートされた後、室外機１、ケーブル２１および室内機２を介してＢＳデコーダ８に送られる。また、ＣＳ信号は、ＣＳアンテナ５ａで受信され、ＣＳコンバータ５ｂでコンバートされた後、室外機１、ケーブル２１および室内機２を介してＣＳデコーダ９に送られる。
【００３２】
一方、ＣＳコンバータ５ｂに電源電圧を供給する場合、室内機２は、ＣＳデコーダ９からの偏波識別信号を検出すると、この偏波識別信号を周波数変換したＦＷＡ制御信号を室外機１に送信する。室外機１は、この周波数変換されたＦＷＡ制御信号を検出すると、当該ＦＷＡ制御信号を変換して偏波識別信号とし、この偏波識別信号が垂直偏波信号か水平偏波信号かに応じて異なる所定の電源電圧をＣＳコンバータ５ｂに給電する。
【００３３】
図６は、ＶＨＦ／ＵＨＦ信号、ＢＳ信号を周波数変換した信号（ＢＳ−ＩＦ信号）、ＣＳ信号を周波数変換した信号（ＣＳ−ＩＦ信号）、受信ＦＷＡ信号を所定の周波数に変換したＦＷＡＩＦ信号およびＦＷＡ制御信号等の周波数分布を示す図である。ＦＷＡＩＦ信号は、ＶＨＦ／ＵＨＦ信号、ＢＳ−ＩＦ信号、ＣＳ−ＩＦ信号の各信号と干渉しない周波数帯域で使用されている。また、室内機２で検出された偏波識別信号は、直流電圧と干渉しない交流成分のＦＷＡ制御信号に変換されて室外機１に送出される。
【００３４】
以上説明したように、本実施形態の固定無線アクセスシステムによれば、室外機１および室内機２間を１本のケーブル２１介して、ＶＨＦ、ＵＨＦ、ＢＳ、ＣＳの各信号と干渉しないようＦＷＡ制御信号を伝送することができる。このため、固定無線アクセス装置を設置する際に、新たなケーブルを新設することなく、また、屋外設備用の外部電源も不要であるため、設置時間を短縮でき、設置費用も抑えることができる。
【００３５】
（第２の実施形態）
第２の実施形態では、第１の実施形態で説明した室外機１が有するＦＷＡＯＤＵ回路１１８と略同様の手段および室内機２が有するＦＷＡＩＤＵ回路１２５と略同様の手段は既に導入されているが、後述する屋外結合器および屋内結合器を設けて、ＦＷＡ制御信号とＶＨＦ、ＵＨＦ、ＢＳ、ＣＳの各信号とを重畳させる固定無線アクセスシステムについて説明する。
【００３６】
図７は、本発明の第２の実施形態を説明するための固定無線アクセスシステムの概略構成を示す図である。なお、同図において、第１の実施形態で説明した図１と重複する部分には同一の符号を付して説明を省略する。図７に示す第２の実施形態の固定無線アクセスシステムでは、主に、ＦＷＡアンテナ３と、ＦＷＡＯＤＵ部１２と、特許請求の範囲の第１結合器に該当する屋外結合器１４と、ケーブル５１と、第２結合器に該当する屋内結合器１５と、ＦＷＡＩＤＵ部１３とを備え、この他、ＢＳアンテナ４ａおよびＢＳコンバータ４ｂと、ＣＳアンテナ５ａおよびＣＳコンバータ５ｂと、ＶＨＦ／ＵＨＦアンテナ６およびＶＨＦ／ＵＨＦブースタ７と、ＢＳデコーダ８と、ＣＳデコーダ９と、テレビ（ＴＶ）１０と、パソコン１１とが設けられている。
【００３７】
ＦＷＡＯＤＵ部１２には、ＦＷＡアンテナ３が接続されている。また、屋外結合器１４には、ＦＷＡＯＤＵ部１２、ＢＳコンバータ４ｂ、ＣＳコンバータ５ｂおよびＶＨＦ／ＵＨＦブースタ７が接続され、ケーブル５１を介して屋内結合器１５に接続されている。なお、ＢＳコンバータ４ｂには第１の実施形態と同様、ＢＳアンテナ４ａが接続され、ＣＳコンバータ５ｂには第１の実施形態と同様、ＣＳアンテナ５ａが接続され、ＶＨＦ／ＵＨＦブースタ７には第１の実施形態と同様、ＶＨＦ／ＵＨＦアンテナ６が接続されている。
【００３８】
一方、屋内結合器１５には、ＢＳデコーダ８、ＣＳデコーダ９およびＦＷＡＩＤＵ部１３が接続され、ＴＶ１０もＶＨＦ／ＵＨＦケーブル１０ａによって接続されている。なお、ＴＶ１０にはＢＳデコーダ８およびＣＳデコーダ９が接続されている。また、ＦＷＡＩＤＵ部１３には、パソコン１１が接続されている。
【００３９】
以下、本実施形態の固定無線アクセスシステムが有する各構成要素の内、主に、ＦＷＡＯＤＵ部１２、屋外結合器１４、屋内結合器１５およびＦＷＡＩＤＵ部１３について説明する。
【００４０】
まず、ＦＷＡＯＤＵ部１２について説明する。ＦＷＡＯＤＵ部１２は、第１の実施形態で説明した室外機１が有するＦＷＡＯＤＵ回路１１８と略同様の手段であって、ＦＷＡアンテナ３から入力された受信ＦＷＡ信号を所定の周波数に変換して出力するものである。なお、所定の周波数に変換された受信ＦＷＡ信号を、第１の実施形態と同様、「ＦＷＡＩＦ信号」という。ＦＷＡＯＤＵ部１２から出力されたＦＷＡＩＦ信号は屋外結合器１４に入力される。また、ＦＷＡＯＤＵ部１２は、屋外結合器１４から送出されたＦＷＡＩＦ信号を所定の周波数に変換した無線アクセス信号をＦＷＡアンテナ３に送出する。
【００４１】
次に、屋外結合器１４について、図８を参照して説明する。図８は、図７に示した固定無線アクセスシステムが備える屋外結合器の内部構成を示す図である。同図に示すように、屋外結合器１４は、第１の実施形態の室外機１と比較して、ＦＷＡＯＤＵ回路１１８の代わりに電源重畳回路１３５が設けられ、ＦＷＡアンテナ端子１１２の代わりにＦＷＡ入出力端子１３３が、ＯＤＵ入出力端子１１１の代わりに屋外入出力端子１３１が、合成分配回路１１５の代わりに合成分配回路２０１が、電源変換回路１１７の代わりに電源変換回路２０３が設けられている。
【００４２】
ＦＷＡ入出力端子１３３には、ＦＷＡＯＤＵ部１２から送出されたＦＷＡＩＦ信号が入力される。また、電源重畳回路１３５は、電源変換回路２０３から得られた電源電圧（−４８Ｖ）を重畳してＦＷＡ入出力端子１３３に出力するものである。また、合成分配回路２０１は、ＦＷＡ入出力端子１３３に入力され電源重畳回路１３５を介して得られたＦＷＡＩＦ信号、ＢＳ／ＵＨＦ／ＶＨＦ入力端子１１３に入力され電源重畳回路１１９を介して得られたＢＳ／ＵＨＦ／ＶＨＦ信号、およびＣＳ入力端子１１４から入力され電源重畳回路１２０を介して得られたＣＳ信号の各信号を合成するものである。合成分配回路２０１で合成された信号は屋外入出力端子１３１から出力され、屋外結合器１４に送出される。なお、合成分配回路２０１は、屋内結合器１５から送出され屋外入出力端子１３１を介して入力された信号から後述するＦＷＡ制御信号を分配し、制御回路１１６に出力する。電源変換回路２０３は、制御回路１１６からの制御信号に基づく各電源電圧を電源重畳回路１３５，１１９，１２０に出力するものである。
【００４３】
次に、屋内結合器１５について、図９を参照して説明する。図９は、図７に示した固定無線アクセスシステムが備える屋内結合器の内部構成を示す図である。同図に示すように、屋内結合器１５は、第１の実施形態の室内機２と比較して、ＩＤＵ入出力端子１２４の代わりに屋内入出力端子１４４が設けられ、ＦＷＡ入出力端子１２１の代わりにＦＷＡ入出力端子１４１が設けられ、ＦＷＡＩＤＵ回路１２５を有していない。
【００４４】
屋外結合器１４から送出された信号は、ケーブル５１を介して屋内入出力端子１４４から入力され、電源重畳回路１２８を介して合成分配回路１２７に入力される。合成分配回路１２７は当該入力信号をＦＷＡＩＦ信号、ＢＳ／ＵＨＦ／ＶＨＦ信号およびＣＳ信号に分配するが、第１の実施形態と異なり、ＦＷＡＩＦ信号はＦＷＡ入出力端子１４１から出力される。なお、ＦＷＡ入出力端子１４１から出力された信号はＦＷＡＩＤＵ部１３に送られる。
【００４５】
また、制御回路２０５は、電源検出回路１２６で検出された電源電圧に関する情報と、電源検出回路１３２で検出された偏波識別信号とを周波数変換して、電源重畳回路１２８にＦＷＡ制御信号を出力するものである。電源重畳回路１２８で重畳することによって得られた信号は屋内入出力端子１４４から出力され、ケーブル５１を介して屋外結合器１４に送出される。
【００４６】
次に、ＦＷＡＩＤＵ部１３について説明する。ＦＷＡＩＤＵ部１３は、第１の実施形態で説明した室内機２が有するＦＷＡＩＤＵ回路１２５と略同様の手段であって、屋内結合器１５から出力されたＦＷＡＩＦ信号に対して周波数変換等を行うものである。周波数変換等された信号はパソコン１１に送られる。また、ＦＷＡＩＤＵ部１３には、パソコン１１から出力されたＦＷＡ信号が入力される。ＦＷＡＩＤＵ部１３は、ＦＷＡ信号に対して周波数変換等を行って、ＦＷＡＩＦ信号を出力する。
【００４７】
このような構成の固定無線アクセスシステムでは、ＦＷＡＯＤＵ部１２およびＦＷＡＩＤＵ部１３が既に導入されている場合、屋内結合器１４および屋外結合器１５を設置して、これらを１本のケーブル５１で接続することで、ＶＨＦ、ＵＨＦ、ＢＳ、ＣＳの各信号と干渉しないようＦＷＡ制御信号を伝送することができる。また、ＵＨＦ／ＶＨＦブースタ７に屋外の商用電源を使用していた場合であっても、ＦＷＡＯＤＵ部１２から電源電圧を供給できるため、屋外設備用の外部電源が不要となる。さらには、ＦＷＡＯＤＵ部１２と他のアンテナとの距離が長い場合、ケーブルを必要以上に引き回す必要がない。
【００４８】
【発明の効果】
本発明の固定無線アクセスシステムによれば、第１固定無線アクセス手段および第２固定無線アクセス手段間を、地上波放送信号、ＢＳ放送信号、ＣＳ放送信号の各信号の他、無線アクセス信号も同一のケーブルで伝送することができる。この結果、第１固定無線アクセス手段および第１固定無線アクセス手段を設置する際に、新たなケーブルを新設することなくシステムを構築することができる。
【図面の簡単な説明】
【図１】本発明の第１の実施形態を説明するための固定無線アクセスシステムの概略構成を示す図
【図２】図１に示した固定無線アクセスシステムが備える室外機の内部構成に信号系統を重ねて示した図
【図３】図１に示した固定無線アクセスシステムが備える室外機の内部構成に電源系統を重ねて示した図
【図４】図１に示した固定無線アクセスシステムが備える室内機の内部構成に信号系統を重ねて示した図
【図５】図１に示した固定無線アクセスシステムが備える室内機の内部構成に電源系統を重ねて示した図
【図６】ＶＨＦ／ＵＨＦ信号、ＢＳ信号を周波数変換した信号（ＢＳ−ＩＦ信号）、ＣＳ信号を周波数変換した信号（ＣＳ−ＩＦ信号）、受信ＦＷＡ信号を所定の周波数に変換したＦＷＡＩＦ信号およびＦＷＡ制御信号等の周波数分布を示す図
【図７】本発明の第２の実施形態を説明するための固定無線アクセスシステムの概略構成を示す図
【図８】図７に示した固定無線アクセスシステムが備える屋外結合器の内部構成を示す図
【図９】図７に示した固定無線アクセスシステムが備える屋内結合器の内部構成を示す図
【符号の説明】
１  室外機（ＯＤＵ）
２  室内機（ＩＤＵ）
３  ＦＷＡアンテナ
４ａ  ＢＳアンテナ
４ｂ  ＢＳコンバータ
５ａ  ＣＳアンテナ
５ｂ  ＣＳコンバータ
９  ＣＳデコーダ
１２  ＦＷＡＯＤＵ部
１３  ＦＷＡＩＤＵ部
１４  屋外結合器
１５  屋内結合器
２１，５１  ケーブル
１１１  ＯＤＵ入出力端子
１１２  ＦＷＡアンテナ端子
１１３  ＢＳ／ＵＨＦ／ＶＨＦ入力端子
１１４  ＣＳ入力端子
１１５，１２７，２０１  合成分配回路
１１６，１２９，２０５  制御回路
１１７，２０３  電源変換回路
１１８  ＦＷＡＯＤＵ回路
１１９，１２０，１２８，１３５  電源重畳回路
１２１  ＦＷＡ入出力端子
１２２  ＢＳ／ＵＨＦ／ＶＨＦ出力端子
１２３  ＣＳ出力端子
１２４  ＩＤＵ入出力端子
１２５  ＦＷＡＩＤＵ回路
１２６，１３２  電源検出回路
１３１  屋外入出力端子
１３３  ＦＷＡ入出力端子
【図１】
2004320221.tif 000003
【図２】
2004320221.tif 000004
【図３】
2004320221.tif 000005
【図４】
2004320221.tif 000006
【図５】
2004320221.tif 000007
【図６】
2004320221.tif 000008
【図７】
2004320221.tif 000009
【図８】
2004320221.tif 000010
【図９】
2004320221.tif 000011